(57)【要約】      （修正有）【課題】クリップ及びそれを用いた梁の断熱構造に関し、梁（ベース）の貫通孔に対するクリップの転倒を防止する。【解決手段】クリップ40には、頭部60、頭部60の下面から延び、例えば図２に示すように、部品例えば断熱材30を貫通し、ベース例えば梁20の貫通孔21に挿入される脚部70を備える。脚部70には、貫通孔21に縮径して通り、貫通孔21を通過後、部品例えば断熱材30の裏側で復元することで、脚部70を貫通孔21中に係止し、互いに背向して突出する少なくとも一対の係止片90、一対の係止片90の間隔内に位置し、一対の係止片90が貫通孔21を通過した位置において、貫通孔21の内周面に弾性的に当接し、互いに背向して突出する少なくとも一対の弾性片100を備える。【選択図】図１
2010266056.tif 000002
【特許請求の範囲】
【請求項１】
部品を貫通し、ベースの貫通孔に挿入されることで、前記部品を前記貫通孔に取り付けるためのクリップであって、
前記貫通孔は、前記クリップの挿入方向に対して徐々に拡径し、
前記クリップには、
頭部と、
前記頭部の下面から延び、前記部品を貫通し、前記ベースの前記貫通孔に挿入される脚部とを備え、
前記脚部には、
前記貫通孔に縮径して通り、前記貫通孔を通過後、前記部品の裏側で復元することで、前記脚部を前記貫通孔中に係止し、互いに背向して突出する少なくとも一対の係止片と、
前記一対の係止片の間隔内に位置し、前記一対の係止片が前記貫通孔を通過した位置において、前記貫通孔の内周面に弾性的に当接し、互いに背向して突出する少なくとも一対の弾性片とを備えていることを特徴とするクリップ。
【請求項２】
請求項１記載のクリップであって、
前記脚部には、
前記頭部の下面から延びる板状の基部と、
前記基部の表裏面から十字状に伸びる一対のリブと備え、
前記弾性片は、前記基部の両側縁から同一回転方向に向かって渦巻き状にそれぞれ延びていることを特徴とするクリップ。
【請求項３】
請求項２に記載のクリップであって、
前記基部の先端部には、段部を介して横幅が一段細くなった先細部を設け、
前記先細部の横幅を、前記貫通孔の最少内径以下に設定するとともに、
前記段部より上方の基部の横幅を前記貫通孔の最大内径より大きく設定し、
前記弾性片は、前記先細部の両側縁からそれぞれ延びていることを特徴とするクリップ。
【請求項４】
請求項１〜３のいずれか１項に記載のクリップであって、
前記係止片には、
前記脚部の先端部から前記頭部の下面に向かって斜めに上向きに突出する傾斜部と、
前記傾斜部の上端部から前記頭部の下面に向かって前記脚部と略平行に延びる中間部と、
前記中間部の上端部から前記頭部の下面に向かって斜め外向きに延びる自由端部とを備え、
前記傾斜部と前記中間部との間には、外向きに突出した係止部を設け、
前記中間部と前記自由端部との間には外向きに屈曲した屈曲部を設け、前記係止部と前記屈曲部との間隔を前記ベースの板厚に一致させていることを特徴とするクリップ。
【請求項５】
部品を貫通し、ベースの貫通孔に挿入されることで、前記部品を前記貫通孔に取り付けるためのクリップであって、
頭部と、
前記頭部の下面から延び、前記部品を貫通し、前記ベースの前記貫通孔に挿入される脚部とを備え、
前記脚部には、
前記貫通孔に縮径して通り、前記貫通孔を通過後、前記部品の裏側で復元することで、前記脚部を前記貫通孔中に係止し、互いに背向して突出する少なくとも一対の係止片と、
前記一対の係止片の間隔内に位置し、前記一対の係止片が前記貫通孔を通過した位置において、前記貫通孔の内周面に弾性的に当接し、互いに背向して突出する少なくとも一対の弾性片とを備えていることを特徴とするクリップ。
【請求項６】
請求項１〜５のいずれか１項に記載のクリップを用いた梁の断熱構造であって、
前記ベースは、梁であり、
前記部品は、断熱材であり、
前記クリップを前記断熱材を貫通させて前記梁の前記貫通孔に挿入することで、前記断熱材を前記梁に固定するようにしていることを特徴とする梁の断熱構造。
【発明の詳細な説明】
【技術分野】
【０００１】
この発明は、クリップ及びそれを用いた梁の断熱構造に関し、梁（ベース）の貫通孔に対するクリップの転倒を防止することができるようにしたものである。
【背景技術】
【０００２】
従来、梁の断熱構造用にクリップとしては、一対の係止片を備えたものが知られている（例えば特許文献１の段落番号「００６８」〜「００７３」、図７参照）。
【先行技術文献】
【特許文献】
【０００３】
【特許文献１】特開２００８−３１７２０号公報
【発明の概要】
【発明が解決しようとする課題】
【０００４】
しかし、上記した従来のクリップでは、梁の貫通孔がすり鉢状に傾斜している場合に、当該貫通孔に対してクリップが傾くおそれがあるという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００５】
すなわち、請求項１に記載の発明は、従来の一対の係止片の間隔内に、貫通孔の内周面に弾性的に当接する一対の弾性片を設けることで、貫通孔に対するクリップの転倒を防止することができるようにしたものである。
（請求項２）
請求項２に記載の発明は、上記した請求項１に記載の発明の目的に加え、次の点を目的とする。
【０００６】
すなわち、請求項２に記載の発明は、一対の弾性片を渦巻き状に突出させることで、貫通孔の内周面との接触面積を増加させ、又、一対の弾性片を線対称の形状とすることで、貫通孔中においてクリップを安定させて保持することができるようにしたものである。
（請求項３）
請求項３に記載の発明は、上記した請求項２に記載の発明の目的に加え、次の点を目的とする。
【０００７】
すなわち、請求項３に記載の発明は、段部を貫通孔の最大内径より大きく設定することで、クリップが貫通孔に必要以上に深く挿入されるのを防止することができるようにしたものである。
（請求項４）
請求項４に記載の発明は、上記した請求項１〜３のいずれか１項に記載の発明の目的に加え、次の点を目的とする。
【０００８】
すなわち、請求項４に記載の発明は、係止部と屈曲部との間隔を板厚の厚いベースに一致させることで、板厚の薄いベースにも取り付けることができるようにしたものである。（請求項５）
請求項５の発明は、次の点を目的とする。
すなわち、請求項５の発明は、従来の一対の係止片の間隔内に、貫通孔の内周面に弾性的に当接する一対の弾性片を設けると共に、一対の係止片が貫通孔中に位置した状態で係止されており、貫通孔よりも手前側に一対の係止部の先端部を残した状態にあるので、当該クリップを貫通孔への挿入方向とは反対となる方向に引っ張るだけで当該貫通孔から容易にクリップを取り外すことができ、ひいてはクリップによるベースへの部品の取付けを解除して部品をベースから取り外すことができるようにしたものである。
（請求項６）
請求項６に記載の発明は、上記した請求項１〜５のいずれか１項に記載の発明の目的に加え、次の点を目的とする。
【０００９】
すなわち、請求項６に記載の発明は、梁の断熱材の取り付けに好適なクリップを提供することができるようにしたものである。
【課題を解決するための手段】
【００１０】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１１】
第１に、例えば図２に示すように、部品（例えば断熱材30）を貫通し、ベース（例えば梁20）の貫通孔(21)に挿入されることで、部品（例えば断熱材30）を貫通孔(21)に取り付けるためのクリップ(40)である。
第２に、貫通孔(21)は、例えば図３に示すように、クリップ(40)の挿入方向に対して徐々に拡径する。
【００１２】
第３に、クリップ(40)には、例えば図１及び図５〜７に示すように、次の構成を備える。
（１）頭部(60)
（２）脚部(70)
脚部(70)は、例えば図１及び図５〜７に示すように、頭部(60)の下面から延び、例えば図２に示すように、部品（例えば断熱材30）を貫通し、ベース（例えば梁20）の貫通孔(21)に挿入されるものである。
【００１３】
第４に、脚部(70)には、例えば図１及び図５〜７に示すように、次の構成を備える。
（３）係止片(90)
係止片(90)は、例えば図１及び図５〜７に示すように、少なくとも一対有り、貫通孔(21)に縮径して通り、貫通孔(21)を通過後、例えば図２及び図８に示すように、部品（例えば断熱材30）の裏側で復元することで、脚部(70)を貫通孔(21)中に係止し、互いに背向して突出するものである。
【００１４】
（４）弾性片(100)
弾性片(100)は、例えば図１及び図５〜７に示すように、少なくとも一対有り、一対の係止片(90)の間隔内に位置し、一対の係止片(90)が貫通孔(21)を通過した位置において、例えば図９及び図１０に示すように、貫通孔(21)の内周面に弾性的に当接し、互いに背向して突出するものである。
（請求項２）
請求項２に記載の発明は、上記した請求項１に記載の発明の特徴点に加え、次の点を特徴とする。
【００１５】
第１に、脚部(70)には、例えば図１及び図５〜７に示すように、次の構成を備える。
（１）基部(80)
基部(80)は、例えば図１及び図５〜７に示すように、頭部(60)の下面から延びる板状のものである。
（２）リブ(81)
リブ(81)は、例えば図１、図５及び図６に示すように、一対有り、基部(80)の表裏面から十字状に伸びるものである。
【００１６】
第２に、弾性片(100)は、例えば図７に示すように、基部(80)の両側縁から同一回転方向に向かって渦巻き状にそれぞれ延びている。
（請求項３）
請求項３に記載の発明は、上記した請求項２に記載の発明の特徴点に加え、次の点を特徴とする。
【００１７】
第１に、基部(80)の先端部には、例えば図１、図５及び図６に示すように、段部(82)を介して横幅が一段細くなった先細部(83)を設けている。
第２に、先細部(83)の横幅を、例えば図１及び図３〜６に示すように、貫通孔(21)の最少内径(L1)以下に設定するとともに、段部(82)より上方の基部(80)の横幅を貫通孔(21)の最大内径(L2)より大きく設定している。
【００１８】
第３に、弾性片(100)は、例えば図１及び図５〜７に示すように、先細部(83)の両側縁からそれぞれ延びている。
（請求項４）
請求項４に記載の発明は、上記した請求項１〜３のいずれか１項に記載の発明の特徴点に加え、次の点を特徴とする。
【００１９】
第１に、係止片(90)には、例えば図１、図５及び図６に示すように、次の構成を備える。
（１）傾斜部(91)
傾斜部(91)は、例えば図１、図５及び図６に示すように、脚部(70)の先端部から頭部(60)の下面に向かって斜めに上向きに突出するものである。
【００２０】
（２）中間部(92)
中間部(92)は、例えば図１、図５及び図６に示すように、傾斜部(91)の上端部から頭部(60)の下面に向かって脚部(70)と略平行に延びるものである。
（３）自由端部(93)
自由端部(93)は、例えば図１、図５及び図６に示すように、中間部(92)の上端部から頭部(60)の下面に向かって斜め外向きに延びるものである。
【００２１】
第２に、傾斜部(91)と中間部(92)との間には、例えば図１、図５及び図６に示すように、外向きに突出した係止部(94)を設けている。
第３に、中間部(92)と自由端部(93)との間には、例えば図１、図５及び図６に示すように、外向きに屈曲した屈曲部(95)を設け、係止部(94)と屈曲部(95)との間隔を、例えば図１〜３に示すように、ベース（例えば梁20）の板厚(t)に一致させている。
（請求項５）
請求項５に記載の発明は、次の点を特徴とする。
【００２２】
第１に、例えば図２に示すように、部品（例えば断熱材30）を貫通し、ベース（例えば梁20）の貫通孔(21)に挿入されることで、部品（例えば断熱材30）を貫通孔(21)に取り付けるためのクリップ(40)である。
第２に、クリップ(40)には、例えば図１及び図５〜７に示すように、次の構成を備える。
【００２３】
（１）頭部(60)
（２）脚部(70)
脚部(70)は、例えば図１及び図５〜７に示すように、頭部(60)の下面から延び、例えば図２に示すように、部品（例えば断熱材30）を貫通し、ベース（例えば梁20）の貫通孔(21)に挿入されるものである。
【００２４】
第３に、脚部(70)には、例えば図１及び図５〜７に示すように、次の構成を備える。
（３）係止片(90)
係止片(90)は、例えば図１及び図５〜７に示すように、少なくとも一対有り、貫通孔(21)に縮径して通り、貫通孔(21)を通過後、例えば図２及び図８に示すように、部品（例えば断熱材30）の裏側で復元することで、脚部(70)を貫通孔(21)中に係止し、互いに背向して突出するものである。
【００２５】
（４）弾性片(100)
弾性片(100)は、例えば図１及び図５〜７に示すように、少なくとも一対有り、一対の係止片(90)の間隔内に位置し、一対の係止片(90)が貫通孔(21)を通過した位置において、例えば図９及び図１０に示すように、貫通孔(21)の内周面に弾性的に当接し、互いに背向して突出するものである。
（請求項６）
請求項６に記載の発明は、上記した請求項１〜５のいずれか１項に記載の発明の特徴点に加え、次の点を特徴とする。
【００２６】
第１に、例えば図２に示すように、クリップ(40)を用いた梁(20)の断熱構造(10)である。ベースは、例えば図２に示すように、梁(20)である。部品は、例えば図２に示すように、断熱材(30)である。
第２に、クリップ(40)を断熱材(30)を貫通させて梁(20)の貫通孔(21)に挿入することで、例えば図２に示すように、断熱材(30)を梁(20)に固定するようにしている。
【発明の効果】
【００２７】
本発明は、以上のように構成されているので、以下に記載されるような効果を奏する。
（請求項１）
請求項１に記載の発明によれば、次のような効果を奏する。
すなわち、請求項１に記載の発明によれば、従来の一対の係止片の間隔内に、貫通孔の内周面に弾性的に当接する一対の弾性片を設けることで、貫通孔に対するクリップの転倒を防止することができる。
（請求項２）
請求項２に記載の発明によれば、上記した請求項１に記載の発明の効果に加え、次のような効果を奏する。
【００２８】
すなわち、請求項２に記載の発明によれば、一対の弾性片を渦巻き状に突出させることで、貫通孔の内周面との接触面積を増加させ、又、一対の弾性片を線対称の形状とすることで、貫通孔中においてクリップを安定させて保持することができる。
（請求項３）
請求項３に記載の発明によれば、上記した請求項２に記載の発明の効果に加え、次のような効果を奏する。
【００２９】
すなわち、請求項３に記載の発明によれば、段部を貫通孔の最大内径より大きく設定することで、クリップが貫通孔に必要以上に深く挿入されるのを防止することができる。
（請求項４）
請求項４に記載の発明によれば、上記した請求項１〜３のいずれか１項に記載の発明の効果に加え、次のような効果を奏する。
【００３０】
すなわち、請求項４に記載の発明によれば、係止部と屈曲部との間隔を板厚の厚いベースに一致させることで、板厚の薄いベースにも取り付けることができる。
（請求項５）
請求項５に記載の発明によれば、上記した請求項１〜４のいずれか１項に記載の発明の効果に加え、次のような効果を奏する。
【００３１】
すなわち、請求項５に記載の発明によれば、従来の一対の係止片の間隔内に、貫通孔の内周面に弾性的に当接する一対の弾性片を設けると共に、一対の係止片が貫通孔中に位置した状態で係止されており、貫通孔よりも手前側に一対の係止部の先端部を残した状態にあるので、当該クリップを貫通孔への挿入方向とは反対となる方向に引っ張るだけで当該貫通孔から容易にクリップを取り外すことができ、ひいてはクリップによるベースへの部品の取付けを解除して部品をベースから取り外すことができる。
（請求項６）
請求項６に記載の発明によれば、上記した請求項１〜５のいずれか１項に記載の発明の効果に加え、次のような効果を奏する。
【００３２】
すなわち、請求項６に記載の発明によれば、梁の断熱材の取り付けに好適なクリップを提供することができる。
【図面の簡単な説明】
【００３３】
【図１】クリップの斜視図である。
【図２】梁の断熱構造の一部断面図であり、上下方向の一点鎖線を境として向かって左側は梁の板厚の厚い場合、右側は梁の板厚の薄い場合をそれぞれ示している。
【図３】厚い梁の貫通孔の断面図である。
【図４】薄い梁の貫通孔の断面図である。
【図５】クリップの側面図である。
【図６】図５に対応し、他の側面図である。
【図７】図５に対応し、クリップの先端部分の一部横断面図である。
【図８】クリップを貫通孔に装着した状態の一部断面図であり、向かって左側は梁の板厚の厚い場合、右側は梁の板厚の薄い場合をそれぞれ示している。
【図９】クリップを貫通孔に装着した状態の一部横断面図であり、貫通孔の最大内径におけるものである。
【図１０】図９に対応し、貫通孔の最大内径における一部横断面図である。
【発明を実施するための形態】
【００３４】
（梁20の断熱構造10）
図２中、10は、鉄鋼構造物の躯体を構成する梁20の上下フランジとウエブとからなる断熱空間内に断熱材30を設置した断熱構造を示すものである。
断熱材30は、図２に示すように、クリップ40を介して梁20に取り付けられる。
梁20は、ベースの一例であり、断熱材30は、ベースに取り付ける部品の一例である。なを、ベースは、梁20に限定されず、又、部品も断熱材30に限定されるものでない。
（梁20）
梁20は、図示しないが、上下フランジとウエブとからなるＨ形鋼から構成されている。図２においては、梁20のウエブの一部を図示している。
【００３５】
梁20のウエブには、図２に示すように、所定の間隔で、貫通孔21が形成されている。
貫通孔21は、図２に示すように、断熱材30を取り付けるためのクリップ40を挿入するためのものである。
貫通孔21は、図３に示すように、梁20のウエブの厚み方向に貫通する。貫通孔21は、図３に示すように、梁20のウエブの表面側、すなわち断熱材30の取付面側から裏面側に向かって円錐台形形に徐々に拡径している。
【００３６】
具体的には、梁20,20aには、図３及び図４に示すように、ウエブの板厚ｔ，taの異なるものが存在する。なお、梁20,20aのウエブの板厚ｔ，taの異なる２種類のものを例示したが、２種類に限定されず、例えば図示しないが、中間の板厚を有するものがあっても良い。
（１）板厚ｔの厚い梁20
梁20のウエブは、図３に示すように、板厚ｔが比較的厚く設定され、例えば9.5mmに設定されている。梁20の貫通孔21の最少内径L1は、例えば12.8mmに、又、最大内径L2は例えば14mmにそれぞれ設定されている。
【００３７】
なお、板厚ｔ、最少内径L1、最大内径L2の数値は、例示であり、これらの数値に限定されない。
例えば、厚い梁20のウエブは、図８に示すように、壁等を支持する金物22重合することでさらに増厚される場合もあるが、当該重合される構成に対しても本願発明のクリップ40を採用可能である。
【００３８】
（２）板厚taの薄い梁20a
梁20aは、図４に示すように、板厚taが厚い梁20の板厚ｔより薄く設定され、例えば4.5mmに設定されている。梁20aの貫通孔21aの最少内径L1aは、厚い梁20の最少内径L1に等しく設定され、例えば12.8mmに、又、最大内径L2も厚い梁20の最大内径L2に等しく、例えば14mmにそれぞれ設定されている。
【００３９】
なお、板厚ta、最少内径L1a、最大内径L2aの数値は、例示であり、これらの数値に限定されない。
（断熱材30）
断熱材30には、適度な弾力性を有するポリエチレン系樹脂からなる発泡体を用いているが、グラスウール、ロックウール等の繊維系断熱材を採用することも可能である。
【００４０】
なお、断熱材30として、発泡体や繊維系断熱材を例示したが、これに限定されない。
断熱材30には、図２に示すように、梁20の貫通孔21の位置に合わせて凹部31が形成されている。凹部31は、梁20のウエブと接する面と反対側の表面に形成され、断熱材30の厚み方向に内径が徐々に縮径する円錐台形形に形成され、後述するクリップ40が挿入される。
なお、凹部を設けない平坦な断熱材30にクリップ40の先端を押し付け、当該断熱材30を貫通したクリップ40の先端部を梁20のウエブに止めつける構成を採用することも可能である。この場合、クリップ40を断熱材30に押し付けることで上述の如き凹部が形成される場合もある。
【００４１】
また、梁20のウエブには、図２に示すように、断熱材30と反対側に第２の断熱材50を配置している。
（クリップ40）
クリップ40は、図２に示すように、断熱材30（部品）を貫通し、梁20（ベース）の貫通孔21に挿入されることで、断熱材30を貫通孔21に取り付けるためのものである。
【００４２】
クリップ40は、適度な弾性と剛性とを有する、例えばＰＯＭ等の樹脂により一体成形される。
具体的には、クリップ40には、図１及び図５〜７に示すように、次の各部を備える。
なお、次の（１）及び（２）の各部については、後述する。
（１）頭部60
（２）脚部70
なお、クリップ40の各部は、上記した（１）及び（２）に限定されない。
（頭部60）
頭部60は、図１に示すように、円盤形に形成されている。
【００４３】
頭部60は、図２に示すように、後述する脚部70を断熱材30の凹部31に合わせて挿入し、当該断熱材30を貫通させて梁20の貫通孔21に取り付けた状態で、断熱材30の凹部31の底に当接する。
（脚部70）
脚部70は、図１及び図５〜７に示すように、頭部60の下面から延び、図２に示すように、断熱材30（部品）を貫通し、梁20（ベース）の貫通孔21に挿入されるものである。
【００４４】
具体的には、脚部70には、図１及び図５〜７に示すように、次の各部を備える。
なお、次の（１）〜（３）の各部については、後述する。
（１）基部80
（２）係止片90
（３）弾性片100
なお、脚部70の各部は、上記した（１）〜（３）に限定されない。
（基部80）
基部80は、図１及び図５〜７に示すように、頭部60の下面から延びる板状のものである。
【００４５】
具体的には、基部80には、例えば図１、図５及び図６に示すように、次の各部を備える。
なお、基部80の各部は、次の（１）〜（３）に限定されない。
（１）リブ81
リブ81は、図１、図５及び図６に示すように、一対有り、基部80の表裏面から十字状に伸びるものである。
【００４６】
（２）段部82
段部82は、図６に示すように、基部80の長さの途中に位置し、基部80の横幅をその先端部に向かって狭めた部分である。
（３）先細部83
先細部83は、図１、図５及び図６に示すように、基部80の先端部であって、段部82の下側の部分である。
【００４７】
具体的には、先細部83は、尖った形状に形成されている。
先細部83の横幅は、図１及び図３〜６に示すように、貫通孔21の最少内径L1以下に設定されている。また、段部82より上方の基部80の横幅は、貫通孔21の最大内径L2より大きく設定されている。
（係止片90）
係止片90は、図１及び図５〜７に示すように、少なくとも一対有り、貫通孔21に縮径して通り、貫通孔21を通過後、図２及び図８に示すように、断熱材30（部品）の裏側で復元することで、脚部70を貫通孔21中に係止し、互いに背向して突出するものである。
【００４８】
係止片90の復元力は、クリップ40の成形材料である樹脂の弾性復元力による。
具体的には、係止片90には、図１、図５及び図６に示すように、次の各部を備える。
なお、係止片90の各部は、次の（１）〜（５）に限定されない。
（１）傾斜部91
傾斜部91は、図１、図５及び図６に示すように、脚部70の先端部から頭部60の下面に向かって斜めに上向きに突出するものである。
【００４９】
具体的には、傾斜部91は、上方に向かって開いた断面「Ｖ」字形に形成されている。
（２）中間部92
中間部92は、図１、図５及び図６に示すように、傾斜部91の上端部から頭部60の下面に向かって脚部70と略平行に延びるものである。
（３）自由端部93
自由端部93は、図１、図５及び図６に示すように、中間部92の上端部から頭部60の下面に向かって斜め外向きに延びるものである。
【００５０】
具体的には、自由端部93は、上方に向かって開いた「ハ」に傾斜させている。
（４）係止部94
係止部94は、図１、図５及び図６に示すように、傾斜部91と中間部92との間に位置し、外向きに突出している。
具体的には、係止部94は、断面山形或いは「Ｖ」字形に突出させている。
【００５１】
また、一対の係止部94の外面間の間隔は、一対の自由端部93を作業者が保持しない通常の状態のときは少なくともL1以上であって、一対の自由端部93を互いに接近させる状態でこれら一対の自由端部93を狭持する状態のときは少なくともL1以下となる。
（５）屈曲部95
屈曲部95は、図１、図５及び図６に示すように、中間部92と自由端部93との間に位置し、外向きに屈曲している。
【００５２】
具体的には、屈曲部95は、中間部92と自由端部93との間を、断面「く」の字形に屈曲させることで形成している。
そして、係止部94と屈曲部95との間隔を、図１〜３に示すように、梁20（ベース）の板厚ｔに一致させている。
（弾性片100）
弾性片100は、図１及び図５〜７に示すように、少なくとも一対有り、一対の係止片90の間隔内に位置し、一対の係止片90が貫通孔21を通過した位置において、図９及び図１０に示すように、貫通孔21の内周面に弾性的に当接し、互いに背向して突出するものである。
【００５３】
弾性片100の弾性力は、係止片90と同様に、クリップ40の成形材料である樹脂の弾性復元力による。
具体的には、弾性片100は、図７に示すように、基部80の両側縁、すなわち先細部83の両側縁から同一回転方向に向かって渦巻き状にそれぞれ延びている。
また、弾性片100の各先端部の外周面には、図７に示すように、断面が半円形に突出した突出部101をそれぞれ形成する。
【００５４】
また、一対の弾性片100の基部の間の間隔は、梁20の貫通孔21の最少内径L1にほぼ一致させ、又、一対の自由端部の間の間隔は、梁20の貫通孔21の最大内径L2を超える長さに設定されている。
このため、貫通孔21の最大内径L2の位置では、図９に示すように、弾性片100の自由端部、すなわち先端部の突出部101が貫通孔21の内周面に弾性的に当接する。
【００５５】
また、貫通孔21の最少内径L1の位置では、図１０に示すように、弾性片100の自由端部、すなわち先端部の突出部101が貫通孔21の内周面に弾性的に当接するとともに、弾性片100の基部が貫通孔21の内周面と対向する。
（クリップ40の取付方法）
つぎに、上記構成を備えるクリップ40を用いて、貫通孔21を開設された厚いウエブを有する梁20に断熱材30を取り付ける方法について説明する。
【００５６】
まず、梁20に沿って設けられる断熱空間内に、断熱材30を位置させ、このとき、梁20の貫通孔21と断熱材30の凹部31とが同一直線上に並ぶ。
つぎに、クリップ40の脚部70を、断熱材30の凹部31に合わせて梁20に向かって貫通状に挿入する。
クリップ40の先細部83は、断熱材30に貫通して、梁20の貫通孔21と係合する。
【００５７】
クリップ40を更に挿入すると、一対の係止片90の傾斜部91が、貫通孔21の内周面に押されて、縮径して貫通孔21を通り抜ける。
一対の係止片90の外向きに突出した係止部94が、貫通孔21を通り抜けると、樹脂の弾性復元力により、一対の係止片90が外向きに開き、図２及び図８に示すように、係止部94が梁20のウエブの裏面に当接する。
【００５８】
このため、クリップ40の脚部70が、貫通孔21から抜けなくなり、断熱材30は、図２に示すように、クリップ40の頭部60と梁20のウエブの表面との間で挟み持たれる。
このとき、一対の弾性片100は、図２及び図８に示すように、貫通孔21中に位置する。
すなわち、貫通孔21の最大内径L2の位置では、図９に示すように、弾性片100の突出部101が貫通孔21の内周面に弾性的に当接する。また、貫通孔21の最少内径L1の位置では、図１０に示すように、弾性片100の突出部101が貫通孔21の内周面に弾性的に当接するとともに、弾性片100の基部が貫通孔21の内周面と対向する。
【００５９】
クリップ40に対して、図９及び図１０に示すように、Ｘ方向の力が作用すると、一対の係止片90が貫通孔21の内周面に弾性的に当接することで、クリップ40の脚部70が貫通孔21中でＸ方向にガタ付くのを防止する。
これに対し、クリップ40に対して、図９及び図１０に示すように、Ｙ方向の力が作用すると、貫通孔21の最大内径L2の位置では、図９に示すように、弾性片100の突出部101が貫通孔21の内周面に弾性的に当接し、又、貫通孔21の最少内径L1の位置では、図１０に示すように、弾性片100の突出部101が貫通孔21の内周面に弾性的に当接するとともに、弾性片100の基部が貫通孔21の内周面に当接することで、クリップ40の脚部70が貫通孔21中でＹ方向にガタ付くのを防止する。
【００６０】
また、貫通孔21が、図３及び図４に示すように、クリップ40の脚部70の挿入方向に対して円錐台形形に徐々に拡径している。
このため、クリップ40の脚部70が、貫通孔21の最少内径L1の位置を支点として、図８において左右方向に、或いは紙面方向、すなわち前後方向に傾くおそれがある。
左右方向の傾きに対しては、一対の係止片90が貫通孔21の内周面に弾性的に当接することで、クリップ40の脚部70が、図８において左右方向に傾いて貫通孔21中でガタ付くのを防止する。
【００６１】
また、前後方向の傾きに対しては、貫通孔21の最大内径L2の位置では、図９に示すように、弾性片100の突出部101が貫通孔21の内周面に弾性的に当接し、又、貫通孔21の最少内径L1の位置では、図１０に示すように、弾性片100の突出部101が貫通孔21の内周面に弾性的に当接するとともに、弾性片100の基部が貫通孔21の内周面に当接することで、クリップ40の脚部70が、図８において前後方向に傾いて貫通孔21中でガタ付くのを防止する。
【００６２】
一方、梁20,20aの板厚ｔ，taに着目すると、一対の弾性片100は、図２及び図８に示すように、板厚ｔ，taのいかんにかかわらず、貫通孔21,21a中に常に位置する。
これに対し、一対の係止片90は、梁20の板厚ｔが厚い場合には、図２及び図８に示すように、それらの中間部92が貫通孔21の内周面に弾性的に当接するとともに、それらの外向きに「く」の字形に屈曲した屈曲部95が、貫通孔21の上縁部に弾性的に当接する。
【００６３】
梁20aの板厚taが薄い場合には、図２及び図８に示すように、一対の弾性片100の中間部92が貫通孔21aの内周面に弾性的に当接する。
上述の如くしてクリップ40を介して断熱材30を梁20のウエブに止め付けることができる。また、クリップ40の一対の係止片90の自由端部93を互いに近接させるようにこれら一対の係止片90を挟み持つことにより、一対の係止部94の間隔がL1以下となる。これによって、当該クリップ40の先端部の幅が貫通孔21の口径よりも小さくなり、クリップ40を当該貫通孔21から取り外すことができ、断熱材30の梁20への留め付けを解除することができる。
【００６４】
なお、本願発明は、上記実施形態に限定されるものではない。例えば、上記実施形態のクリップ40は、クリップ40の挿入方向に徐々に拡径する貫通孔21を有するウエブに対して採用可能であることはもちろん、クリップ40の挿入方向に同径とする貫通孔を有するウエブに対してももちろん用いることができる。
【符号の説明】
【００６５】
10  断熱構造
20  梁（厚いベース）      21  貫通孔
22  補強板
20a 梁（薄いベース）     21a  貫通孔
30  断熱材（部品）        31  凹部
40  クリップ              50  第２の断熱材
60  頭部                  70  脚部
80  基部
81  リブ                  82  段部
83  先細部
90  係止片
91  傾斜部                92  中間部
93  自由端部              94  係止部
95  屈曲部
100  弾性片               101  突起部
【図１】
2010266056.tif 000003
【図２】
2010266056.tif 000004
【図３】
2010266056.tif 000005
【図４】
2010266056.tif 000006
【図５】
2010266056.tif 000007
【図６】
2010266056.tif 000008
【図７】
2010266056.tif 000009
【図８】
2010266056.tif 000010
【図９】
2010266056.tif 000011
【図１０】
2010266056.tif 000012